(57)【要約】【課題】任意の高さの位置にローラ及び誘導金具を設置でき、内蔵する電気機器の保守又は点検作業の障害にならず、扉を閉じた際の扉を水平に保持する配電盤を提供する。【解決手段】電気機器を内蔵する箱体１と、ヒンジ３で回動する側の他方側が開閉自在となる扉２と、扉２の開閉自在な側と接触する箱体１の少なくとも一部に折り曲げて設けられた折り曲げ部１１と、折り曲げ部１１に取付けられた回転部材５と、回転部材５と相対して扉２に設けられ、回転部材５を案内する傾斜部６及び回転部材５に支持される水平部９を有する扉水平保持具４１とを備える。【選択図】図２
2019088035.tif 000002
【特許請求の範囲】
【請求項１】
電気機器を内蔵する箱体と、
前記箱体に取り付けられ、ヒンジで回動する側の他方側が開閉自在となる扉と、
前記扉の開閉自在な側と接触する前記箱体の少なくとも一部を折り曲げて設けられた折り曲げ部と、
前記折り曲げ部に取付けられた回転部材と、
前記回転部材と相対して前記扉に設けられ、前記回転部材を案内する傾斜部及び前記回転部材に支持される水平部を有する扉水平保持具と
を備える配電盤。
【請求項２】
電気機器を内蔵する箱体と、
前記箱体に取り付けられ、ヒンジで回動する側の他方側が開閉自在となる扉と、
前記扉の開閉自在な側に取付けられた回転部材と、
前記扉の開閉自在な側と接触する前記箱体の少なくとも一部を折り曲げて設けられた折り曲げ部と、
前記回転部材と相対して前記箱体の前記折り曲げ部に設けられ、前記回転部材を案内する傾斜部及び前記回転部材を支持する水平部を有する扉水平保持具と
を備える配電盤。
【請求項３】
回転部材は、扉の傾きを調整する径を有する回転体を備えることを特徴とする請求項１又は請求項２に記載の配電盤。
【請求項４】
扉水平保持具は、回転部材に支持される状態を保持する回転部材保持部を有することを特徴とする請求項１から請求項３のいずれか１項に記載の配電盤。
【請求項５】
扉水平保持具は、扉の傾きを調整する扉傾き調整部を有することを特徴とする請求項１から請求項４のいずれか１項に記載の配電盤。
【発明の詳細な説明】
【技術分野】
【０００１】
本発明は、ビル及び工場等で用いられる配電盤に関するものである。
【背景技術】
【０００２】
従来の配電盤は、内蔵する電気機器の保守及び点検のために、開閉自在な扉を前面に有している。扉の重量が大きい場合や設置場所の床面の水平レベルが悪い場合に、扉が傾く恐れがあるため、箱体及び扉にローラ及び誘導金具を取付けることによって、扉を閉じた際、扉を水平に保持するものが提案されている（例えば、特許文献１参照）。
【先行技術文献】
【特許文献】
【０００３】
【特許文献１】実開昭６２−１７２２０５号公報（第１頁、図１、図２）
【発明の概要】
【発明が解決しようとする課題】
【０００４】
しかしながら、配電盤に内蔵する電気機器の保守又は点検時、電気機器の引き出し作業をする場合、ローラ及び誘導金具が引き出し作業の障害になる恐れがあるという課題があった。
【０００５】
本発明は、上述のような課題を解決するためになされたもので、任意の高さの位置にローラ及び誘導金具を設置でき、内蔵する電気機器の保守又は点検作業の障害にならず、扉を閉じた際の扉を水平に保持する配電盤を提供することを目的とする。ここで、水平とは、配電盤設置の水平である。
【課題を解決するための手段】
【０００６】
本発明に係る配電盤は、電気機器を内蔵する箱体と、箱体に取り付けられ、ヒンジで回動する側の他方側が開閉自在となる扉と、扉の開閉自在な側と接触する箱体の少なくとも一部を折り曲げて設けられた折り曲げ部と、折り曲げ部に取付けられた回転部材と、回転部材と相対して扉に設けられ、回転部材を案内する傾斜部及び回転部材に支持される水平部を有する扉水平保持具とを備えたものである。
【発明の効果】
【０００７】
本発明に係る配電盤によれば、回転部材及び扉水平保持具を、任意の高さの位置に備え、扉に傾きが生じた場合、扉を閉じた際の扉を水平に保持できる。また、内蔵する電気機器の保守又は点検の作業性を向上できる。
【図面の簡単な説明】
【０００８】
【図１】本発明に係る実施の形態１の配電盤の概略を示す斜視図である。
【図２】本発明に係る実施の形態１の配電盤の一部を示す概略断面図である。
【図３】本発明に係る実施の形態１の配電盤の一部を示す概略断面図である。
【図４】本発明に係る実施の形態１の回転部材の概略を示す斜視図である。
【図５】本発明に係る実施の形態１の配電盤の一部を示す概略断面図である。
【図６】本発明に係る実施の形態１の扉水平保持具の概略を示す斜視図である。
【図７】本発明に係る実施の形態１の配電盤の一部を示す概略断面図である。
【図８】本発明に係る実施の形態１の配電盤の一部を示す概略断面図である。
【図９】本発明に係る実施の形態１の配電盤の一部を示す概略正面図である。
【図１０】本発明に係る実施の形態１の回転部材の概略を示す斜視図である。
【図１１】本発明に係る実施の形態１の配電盤の概略を示す斜視図である。
【図１２】本発明に係る実施の形態２の配電盤の一部を示す概略断面図である。
【図１３】本発明に係る実施の形態３の扉水平保持具の概略を示す斜視図である。
【図１４】本発明に係る実施の形態５の扉水平保持具の概略を示す斜視図である。
【図１５】本発明に係る実施の形態５の配電盤の一部を示す概略断面図である。
【発明を実施するための形態】
【０００９】
以下、本発明の実施の形態について図面を用いて説明する。図において、同一符号は同一又は相当する部分を示す。
実施の形態１．
図１は、本発明に係る実施の形態１の配電盤の概略を示す斜視図である。図１において、配電盤１００は、電気機器（図示せず）を内蔵する箱体１、一方がヒンジ３で回動する開閉自在な扉２を有し、箱体１の任意の高さの位置の折り曲げ部１１に、回転部材５が取付けられ、扉２の回転部材５に対応する位置に扉水平保持具４１が取付けられる。
【００１０】
図２は、扉２を閉じた状態を示す概略断面図であり、箱体１、折り曲げ部１１、回転部材５、扉２、扉水平保持具４１及び取付け金具７の位置関係を示す。
【００１１】
図３は、回転部材５が箱体１に取付けられた状態を示す概略断面図である。箱体１には、回転部材５が取付けられるための、扉２の開閉自在な側と接触する側辺を折り曲げた折り曲げ部１１が設けられ、折り曲げ部１１には、先端側に回転部材５が取付けられるための回転部材取付け穴１２が、任意の高さの位置に備えられ、回転部材取付け穴１２には、回転部材５が取付けられる。
回転部材５は、箱体１の折り曲げ部１１によって、箱体１の任意の高さの位置に、特殊加工不要で取付けでき、配電盤が設置された後でも容易に取付けできる。
【００１２】
図４は、扉水平保持具４１が扉２に取付けられた状態を示す概略断面図であり、扉水平保持具４１は、取付け金具７に固定され、取付け金具７は扉２の開閉自在な側に、回転部材５に相対して取付けられる。
扉水平保持具４１は、扉２に特殊加工不要で取付けでき、配電盤が設置された後でも容易に取付けできる。
【００１３】
図５は、扉水平保持具４１の概略を示す斜視図である。扉２が閉じられる際、回転部材５を案内する傾斜部６、回転部材５で支持される水平部９、取付け金具７に接続する取付け穴１５を備えた取付け面８、及び取付け面８と水平部９の直角を保持する直角面１０を有する。
【００１４】
扉２の重量が大きい場合や配電盤の設置場所の床面の水平レベルが悪い場合に、扉２に傾きが生じた状態の概略断面図を図６に示す。扉２の傾きによって、回転部材５の上端と扉水平保持具４１の水平部９の下面との間に高さｈの差が生じている。
【００１５】
図７は、図６の状態から、さらに扉２が閉じられた状態を示す概略断面図である。回転部材５の上端と扉水平保持具４１の水平部９の下面との間に高さｈの差が生じているため、扉水平保持具４１の傾斜部６が回転部材５と干渉している。
【００１６】
図７の状態から扉２が閉じられる際、扉水平保持具４１は、傾斜部６で回転部材５を案内し、水平部９が回転部材５に乗り上げることで、図８の様に、回転部材５上端が扉水平保持具４１の水平部９を支持し、扉２全体を持ち上げ、扉２の傾きによってできた高さｈの差が解消され、扉２は水平に保持される。図８は、扉２が完全に閉じられた状態を示す。
【００１７】
上述の通り、扉２に傾きが生じた場合（図９中破線）であっても、扉２が閉じられた際、箱体１の折り曲げ部１１に取り付けられた回転部材５で、扉２の扉水平保持具４１の水平部９を支持することによって、扉２の傾きが解消され、扉２が水平に保持できる（図９中実線）。
【００１８】
図１０は回転部材５の概略構成を示す斜視図である。回転体取付け部５１は嵌合部５１ａで、間に少ない摩擦抵抗で回転する回転体５２の貫通穴５２ａを貫通し、回転体固定具５３の嵌合穴５３ａと嵌合し、回転体５２を固定する。回転体固定具５３は、嵌合部５３ｂが、箱体１の回転部材取付け穴１２を貫通し、回転部材固定具５４の嵌合穴５４ａで嵌合し、回転部材５は箱体１に固定される。
これらによって、扉２に傾きが生じた場合であっても、扉２は軽く押されるだけで、扉２の傾きは解消され、扉２は水平に保持されて閉じられる。
【００１９】
ここで回転体５２は、回転体固定具５３に容易に着脱、取替でき、回転部材５及び扉水平保持具４１の高さの差は、径（図１０中２ｒ）が異なる回転体５２の選択によって容易に調整できる。
【００２０】
なお、本実施の形態では配電盤が扉を１枚有する例を示したが、扉を複数枚有してもよい。扉２を２枚有している場合、ぞれぞれの扉２に対応した回転部材５、扉水平保持具４１が取付けられる例を図１１に示す。
【００２１】
したがって、本発明の実施の形態１によれば、箱体１の折り曲げ部１１に取り付けられた回転部材５、及び扉２に取付けられた扉水平保持具４１によって、扉２に傾きが生じた場合であっても、扉２が閉じられた際、扉２の傾きが解消され、扉２が水平に保持される。
ここで、回転部材５は、折り曲げ部１１によって、箱体１の任意の高さの位置に、扉が複数枚であっても、特殊加工をすることなく取付けできる。また、配電盤が設置された後でも容易に取付けできる。これらによって、内蔵する電気機器の保守又は点検の作業性を向上できる。また、回転部材５及び扉水平保持具４１の高さの差は、回転部材５の径が異なる回転体５２の選択によって容易に調整できる。
【００２２】
実施の形態２．
以下、本発明の実施の形態２の配電盤について図を用いて実施の形態１と異なる点を説明する。その他の構成は同様である。
図１２は、本発明に係る実施の形態２の配電盤を示す概略断面図である。図１２は扉２を閉じた状態であり、箱体１、折り曲げ部１１、回転部材５、扉２、扉水平保持具４１及び取付け金具１６の位置関係を示す。
【００２３】
本実施の形態では、扉２には、取付け金具１６で、回転部材５が取り付けられている。箱体１の折り曲げ部１１に、回転部材５に相対して扉水平保持具４１が、実施の形態１とは上下方向逆向きに取り付けられている。
【００２４】
扉２が閉じられる際、扉水平保持具４１は、傾斜部６で回転部材５を案内し、回転部材５が水平部９に乗り上げることで、図１２の様に、扉水平保持具４１の水平部９が回転部材５の下端を支持し、扉２全体を持ち上げ、扉２は水平に保持され、実施の形態１と同様の効果を得ることができる。
【００２５】
実施の形態３．
以下、本発明の実施の形態３の配電盤について図を用いて実施の形態１と異なる点を説明する。その他の構成は同様である。
図１３は、本発明に係る実施の形態３の扉水平保持具４２の概略を示す斜視図である。図１３において、扉水平保持具４２は実施の形態１における扉水平保持具４１に相当し、実施の形態１と同様に、扉２は水平に保持される。
【００２６】
また、扉水平保持具４２は、水平部９の一部に回転部材保持部１３を有し、扉２を閉じられた場合、回転部材５の上端で回転部材保持部１３の位置で保持される。
これによって、扉２が閉められた際の跳ね返りを防ぐ。また仮に、扉２をロックし忘れても自然に扉２が開くことを防止することができる。
【００２７】
したがって、本発明の実施の形態３によれば、実施の形態１の効果に加えて、扉水平保持具４２の回転部材保持部１３によって、扉２が閉じられた場合、回転部材５を回転部材保持部１３の位置で保持できる。また、扉２が閉められた際の跳ね返りを防ぐことができる。仮に、扉２をロックし忘れても自然に扉２が開くことを防止することができる。
【００２８】
実施の形態４．
以下、本発明の実施の形態４の配電盤について図を用いて実施の形態２及び３と異なる点を説明する。その他の構成は同様である。
実施の形態４における扉水平保持具４２は、実施の形態２における扉水平保持具４１に相当し、その形状は、実施の形態３における扉水平保持具４２と同様、回転部材保持部１３を備える。
実施の形態４の配電盤においては、扉水平保持具４２の回転部材保持部１３によって、扉２が閉じられた場合、回転部材５を回転部材保持部１３の位置に保持でき、実施の形態３と同様の効果を得ることができる。
【００２９】
実施の形態５．
以下、本発明の実施の形態５の配電盤について図を用いて実施の形態１と異なる点を説明する。その他の構成は同様である。
図１４は、本発明に係る実施の形態３の扉水平保持具４３の概略を示す斜視図である。図１４において、扉水平保持具４３は実施の形態１における扉水平保持具４１に相当し、実施の形態１と同様に、扉２が閉じられた際、回転部材５の上端が扉水平保持具４３の水平部９が支持されるため、扉２の傾きが解消され、扉２を水平に保持できる。
【００３０】
また、扉水平保持具４３は、実施の形態１の取付け穴１５に相当する扉傾き調整部１４を有する。配電盤設置後、扉２の傾きに変化があった場合、取付け金具７との位置関係が調整されることによって扉２の傾きの変化に対応できる。
例えば図１５に示すように、扉水平保持具４３は、取付け金具７の取付け部７１に設けられた取付け穴７２に、ボルト７３及びナット７４で取り付けられる。扉傾き調整部１４の形状は長円穴であるためボルト７３及びナット７４で取り付ける位置を変えることにより位置関係が調整できる。
なお、扉傾き調整部１４の形状は、取付け面８の垂直方向に並べて明けられた多数の円形穴であっても良い。又は、多数の円形穴が重なり合った形状でも良い。
【００３１】
したがって、本発明の実施の形態５によれば、実施の形態１の効果に加えて、例えば配電盤輸送中の振動、又は配電盤設置後の経年によって扉２の傾きに変化があった場合であっても、扉傾き調整部１４で、取付け金具７との位置関係が調整できる。つまり、追加加工をすることなく、扉２の傾きの変化に対応できる。
【００３２】
実施の形態６．
以下、本発明の実施の形態６の配電盤について図を用いて実施の形態２及び５と異なる点を説明する。その他の構成は同様である。
実施の形態６における扉水平保持具４３は、実施の形態２における扉水平保持具４１に相当し、その形状は、実施の形態５における扉水平保持具４３と同様、扉傾き調整部１４を有する。
実施の形態６の配電盤においては、扉水平保持具４３は、折り曲げ部１１に取り付けられ、配電盤設置後、扉２の傾きに変化があった場合、折り曲げ部１１との位置関係が調整されることによって扉２の傾きの変化に対応でき、実施の形態５と同様の効果を得ることができる。
【００３３】
なお、本発明は、発明の範囲内において、各実施の形態を自由に組み合わせることや、各実施の形態を適宜、変形、省略することが可能である。
【符号の説明】
【００３４】
１００  配電盤、１  箱体、２  扉、３  ヒンジ、４１、４２、４３  扉水平保持具、５  回転部材、５１  回転体取付け部、５１ａ、５３ｂ  嵌合部、５２  回転体、５２ａ  貫通穴、５３  回転体固定具、５３ａ、５４ａ  嵌合穴、５４  回転部材固定具、６  傾斜部、７、１６  取付け金具、７１  取付け部、７３  ボルト、７４  ナット、８  取付け面、９  水平部、１０  直角面、１１  折り曲げ部、１２  回転部材取付け穴、１３  回転部材保持部、１４  扉傾き調整部、１５、７２  取付け穴
【図１】
2019088035.tif 000003
【図２】
2019088035.tif 000004
【図３】
2019088035.tif 000005
【図４】
2019088035.tif 000006
【図５】
2019088035.tif 000007
【図６】
2019088035.tif 000008
【図７】
2019088035.tif 000009
【図８】
2019088035.tif 000010
【図９】
2019088035.tif 000011
【図１０】
2019088035.tif 000012
【図１１】
2019088035.tif 000013
【図１２】
2019088035.tif 000014
【図１３】
2019088035.tif 000015
【図１４】
2019088035.tif 000016
【図１５】
2019088035.tif 000017